(57)【要約】  光記録担体上に配された複数の記録層のうちの少なくとも１つの記録層に、起動手順に関するデータを記録する工程を含む方法であって、記録されるデータは、その後の起動動作中に読み出されるデータであり、上記の少なくとも１つの記録層の選択が、その少なくとも１つの記録層の特性に基づいて行われる方法を開示する。この技術は、光記録担体の起動時間を短縮し、ＤＶＤ、ＨＤ−ＤＶＤおよびＢＤレコーダおよび／またはプレーヤーに有用である。
2010522405.tif 000002
【特許請求の範囲】
【請求項１】
光記録担体上に配された複数の記録層のうちの少なくとも１つの記録層に、起動手順に関するデータを記録する工程を含む方法であって、記録される前記データは、その後の起動動作中に読み出されるデータであり、前記少なくとも１つの記録層の選択が、該少なくとも１つの記録層の特性に基づいて行われることを特徴とする方法。
【請求項２】
前記起動手順に関するデータの記録に際して、前記少なくとも１つの記録層の前記特性が、
− 記録された前記データの反復読出しの安定性、および
− 読出速度
のうちの少なくとも一方とされることを特徴とする請求項１記載の方法。
【請求項３】
前記複数の記録層のうちの１つが、基板の第１の表面の上に配された第１の記録層であり、該第１の記録層が、十分に厚い金属層に隣接して存在していることを特徴とする請求項２記載の方法。
【請求項４】
前記起動手順に関するデータが、
− 記録されたデータのテーブル・オブ・コンテンツ、
− 記録されたデータのメニュー構造に関する情報、および
− 実行可能なアプリケーション
のうちの、少なくとも１つであることを特徴とする請求項２記載の方法。
【請求項５】
前記光記録担体が、ＤＶＤ、ブルーレイディスクおよびＨＤ−ＤＶＤのうちの１つであることを特徴とする請求項１から４いずれか１項記載の方法。
【請求項６】
光記録担体上に配された複数の記録層のうちの少なくとも１つの記録層に、起動手順に関するデータを記録するように構成された制御ユニットを含むドライブであって、記録される前記データは、その後の起動動作中に読み出されるデータであり、前記少なくとも１つの記録層の選択が、該少なくとも１つの記録層の特性に基づいて行われることを特徴とするドライブ。
【請求項７】
前記制御ユニットは、前記起動手順に関するデータの記録に際して、
− 記録された前記データの反復読出しの安定性、および
− 読出速度
のうちの少なくとも一方から、前記少なくとも１つの記録層の前記特性を選択するように構成されていることを特徴とする請求項６記載のドライブ。
【請求項８】
前記制御ユニットが、基板の第１の表面の上に配された第１の記録層上に前記データを記録するように構成されており、前記第１の記録層が、十分に厚い金属層に隣接して存在していることを特徴とする請求項７記載のドライブ。
【請求項９】
前記制御ユニットが、
− 記録されたデータのテーブル・オブ・コンテンツ、
− 記録されたデータのメニュー構造に関する情報、および
− 実行可能なアプリケーション
のうちの少なくとも１つから、前記起動手順に関するデータを選択するように構成されていることを特徴とする請求項８記載のドライブ。
【請求項１０】
ＤＶＤドライブ、ブルーレイディスクドライブおよびＨＤ−ＤＶＤドライブのうちの１つであることを特徴とする請求項６から９いずれか１項記載のドライブ。
【請求項１１】
光記録担体上に配された複数の記録層のうちの少なくとも１つの記録層に、起動手順に関するデータを記録する工程を含む方法を、実行するように構成されたコンピュータプログラムコード手段であって、記録される前記データは、その後の起動動作中に読み出されるデータであり、前記少なくとも１つの記録層の選択が、該少なくとも１つの記録層の特性に基づいて行われることを特徴とするコンピュータプログラムコード手段。
【発明の詳細な説明】
【技術分野】
【０００１】
本発明の対象は、光ディスクの起動動作性能を改善する方法に関するものであり、より詳細には、多層光ディスクの起動動作性能を改善する方法に関するものである。
【背景技術】
【０００２】
米国特許出願公開２００５／０００２３０８号は、多層光記録媒体上にデータを記録する記録装置を開示している。この記録装置内に多層光記録媒体をロードする動作（すなわち、記録の準備ができている状態に、光記録媒体を起動する動作）は、通常、平均で約１２秒の時間を要し得るものであり、この時間は、最大約１５から２０秒まで変化し得る。このことは、エンドユーザを非常に苛立たせかねない。
【発明の概要】
【発明が解決しようとする課題】
【０００３】
多層記録媒体の起動動作性能を改善できる方法を有することは有利であろう。また、多層記録媒体の起動動作性能を改善できるドライブを有することも有利であろう。
【課題を解決するための手段】
【０００４】
光記録担体上に配された複数の記録層のうちの少なくとも１つの記録層に、起動手順に関するデータを記録する工程を含む方法であって、その記録されるデータは、その後の起動動作中に読み出されるデータであり、上記の少なくとも１つの記録層の選択が、その少なくとも１つの記録層の特性に基づいて行われる方法が開示される。
【０００５】
また、光記録担体上に配された複数の記録層のうちの少なくとも１つの記録層に、起動手順に関するデータを記録するように構成された制御ユニットを含むドライブであって、その記録されるデータは、その後の起動動作中に読み出されるデータであり、上記の少なくとも１つの記録層の選択が、その少なくとも１つの記録層の特性に基づいて行われるドライブが開示される。
【０００６】
さらに、起動手順に関するデータを記録する上記の方法は、コンピュータプログラムを用いて実施することもできる。
【図面の簡単な説明】
【０００７】
【図１】例示的な四層記録担体の概略図の例を示した図
【図２】０．７ｍＷ、０．９ｍＷ、１．０ｍＷおよび１．２ｍＷの読出パワーにおいて、ある例示的なＢＤ−Ｒディスクの読出しを行った際の、反復読出しの挙動を概略的に示した図
【図３】本発明の対象に係る方法の、詳細なステップを図示したフローチャートの一例を示した図
【図４】記録スタック中に金属層を含む多層記録担体中の層、および記録スタック中に金属層を含まない多層記録担体中の例示的な層について、反復読出しの挙動を概略的に示した図
【図５】例示的な記録担体へのデータの記録／例示的な記録担体からのデータの読出しに使用される、例示的なドライブの概略ブロック図の例を示した図
【発明を実施するための形態】
【０００８】
以下、上記の側面、特徴および利点を、単なる例として、添付の図面を参照してさらに説明する。図中において、同一の参照番号は、同一または類似の部分を示す。
【０００９】
図１に示した例示的な四層光記録担体１０を参照すると、基板の第１の表面上に、複数の記録層Ｌ０、Ｌ１、Ｌ２およびＬ３が形成されている。記録層Ｌ０、Ｌ１、Ｌ２およびＬ３の間には、複数の分離層ｓｐ１、ｓｐ２およびｓｐ３がそれぞれ配されている。記録層Ｌ３の上面には、カバー層ｃ１が配されている。ここで、この光記録担体１０は、複数の記録層を有し、それら記録層のそれぞれは、典型的には材料層のスタックからなる点に留意されたい。光記録担体１０中の材料層は、（たとえば）ＺｎＳ、ＳｉＯ２、Ｃｕ、ＳｉおよびＡｇで作られたものとされ得る。記録層Ｌ１、Ｌ２およびＬ３のスタックは、材料層ＺｎＳ、ＳｉＯ２、ＣｕおよびＳｉからなっている。材料層は、一般的に、約５−１５ｎｍの厚さを有する。上側の記録層Ｌ３は透明でなくてはならないので、この記録層内には厚い金属層は設けない構成が取られ得る。下側の記録層Ｌ０は、十分に厚い金属層（たとえば、約１００−１５０ｎｍ厚の厚いＡｇミラー）を含む。下側の記録層Ｌ０は透明である必要がないので、この厚い金属層は、下側の記録層Ｌ０内にのみ存在するものとされ得る。ここで、四層光記録担体を示したのは単に説明目的のためだけであって、任意の層数（たとえば２層、３層、４層、６層、８層）を有することが可能である点に留意されたい。
【００１０】
すべての記録層に対して記録および読出しを行うためには、上側の（１つまたは複数の）記録層の透過率は、非常に高くなくてはならない。記録層の数が多いほど、上側の記録層により必要とされる透過率は高くなる。説明のための例として、各層からの実効反射率が４％に到達するために必要とされる、個々の記録層の透過率を計算した（４％という反射率は、現行のブルーレイディスク規格（System description Blu-ray disc recordable format, Part 1, Basic format specifications; System description Blu-ray disc rewritable format, Part 1, Basic format specifications）における各層からの最低限の反射率である）。計算結果を表１に示す。
2010522405.tif 000003
表１のデータは、以下の式を用いて計算した。
2010522405.tif 000004
ただし、ｔｎおよびｒｎは、それぞれ個々の記録層の透過率および反射率であり、Ｒｎは、図１に示した光記録担体中のｎ番目の層からの実効反射率である。
【００１１】
表１より、上側の記録層Ｌ３、Ｌ２およびＬ１の透過率は、非常に高くなくてはならない、すなわち６０−８０％でなくてはならないことが見て取れる。そのような高い透過率に到達するということは、上側のスタックにおける金属層の使用を一切排除する。金属層は、記録スタックの冷却効果を改善するためのヒートシンクとして用いられることが多い。したがって、避けられない結果として、これらの上側の層は同時に、非常に低い冷却性能を有することとなる。
【００１２】
ほとんどの光ディスク規格（たとえば、System description Blu-ray disc recordable format, Part 1, Basic format specifications; System description Blu-ray disc rewritable format, Part 1, Basic format specifications）では、「反復読出しの安定性」が規定されている。ある特定の最小読出パワーにおいて、記録データを劣化させることなく、１，０００，０００回のデータ読出しが可能とされるべきであると指定されていることが多い。
【００１３】
図２を参照すると、図の縦軸はジッタ（単位％）を表しており、横軸は反復読出サイクルの数を表している。読出パワーが高いほど、ジッタが早く増大する（データが劣化する）ことが見て取れる。反復読出しの間において、放射源（たとえばレーザー）はゆっくりとディスクを加熱し、その結果、記録されたデータの劣化が生じる。記録スタックの冷却特性が良好であるほど、反復読出中における記録スタックの安定性は高まる。読出しの安定性は、スタックの冷却特性に直接的に関連付けられている。
【００１４】
１ｘ（ＢＤについては４．９２ｍ／ｓ）よりも高速でディスクからデータを読み出すには、通常、（信号対雑音比を改善するために）読出パワーも増大させることが必要となる。このことは、実用上、極めて良好な読出安定性を有するディスクのみが、より高速で読出可能であることを意味する。
【００１５】
光記録担体上に配された複数の記録層のうちの少なくとも１つの記録層に、起動手順に関するデータを記録する工程を含む方法であって、その記録されるデータは、その後の起動動作中に読み出されるデータであり、上記の少なくとも１つの記録層の選択が、その少なくとも１つの記録層の特性に基づいて行われる方法が開示される。
【００１６】
ユーザの視点から見て、起動動作が成功裡に行われることは、ディスク再生装置／記録装置の重要な性能指標である。多層光記録担体では、異なる記録層は異なる特性を有する。起動手順に関するデータを、複数の記録層の特性に基づいて、１つの記録層上に記録すれば、起動に関するデータをデータへの素早いアクセスが可能な層に記録することができるため、起動動作性能を改善することができる。記録装置／再生装置内への光記録担体１０のロード動作が高速であれば、ユーザは、その記録装置／再生装置に対し、（光記録担体のロード時間がより長い場合と比較して）より高い満足度を有することとなる。
【００１７】
図３を参照すると、ステップ３０２において、記録層の特定の特性に基づいて、記録層のうちの１つ（すなわち、Ｌ０、Ｌ１、Ｌ２およびＬ３のうちの１つ）が、起動手順に関するデータを記録するために選択される。ステップ３０４において、その選択された記録層上に、データが記録される。
【００１８】
１つの実施形態では、起動手順に関するデータの記録に際して、上記の少なくとも１つの記録層の特性が、記録されたデータの反復読出しの安定性および読出速度の、少なくとも一方とされる。図４を参照すると、横軸は反復読出しの回数を表し、縦軸はジッタ（単位％）を表している。金属記録層を含まない光記録担体において、ジッタが増大し始める前に到達する読出サイクル数は、約１０，０００である。一方、金属記録層を含む光記録担体１０（図１参照）は、１，０００，０００回を超える読出サイクルまで、安定性を保っている。光記録担体１０内にある厚い金属層（たとえばＡｇ合金）は、スタックの冷却特性を改善し、結果として、第１の記録層Ｌ０の反復読出しにおける安定性は、非常に良好となる。したがって、読出速度および反復読出しの安定性に基づいて、起動に関するデータの記録のために適切な記録層を選択することは、起動動作性能を改善し得る。
【００１９】
さらに別の実施形態では、起動手順に関するデータの記録に際して、上記の複数の記録層Ｌ０、Ｌ１、Ｌ２、Ｌ３のうちの１つが、基板の第１の表面の上に配された第１の記録層Ｌ０（図１参照）とされ、その第１の記録層Ｌ０が、十分に厚い金属層に隣接して存在するものとされる。ここでいう第１の記録層Ｌ０とは、記録／再生ユニットから見て下側の記録層（すなわち、放射ビーム源から最も遠い記録層）を指す点に留意されたい。第１の記録層Ｌ０は、良好な反復読出しの安定性および読出速度を有する層であるので、起動手順に関するデータを第１の記録層Ｌ０に記録することは有利である。さらに、第１の記録層は非常に良好な読出安定性を有する層でもあるため、起動に関するデータをより高速で読み出し、それにより起動動作性能を改善することもできる。また、第１の記録層Ｌ０は、より高いデータ保全性をもたらすという、追加の利点も有する。
【００２０】
さらに別の実施形態では、起動手順に関するデータは、記録されたデータのテーブル・オブ・コンテンツ、記録されたデータのメニュー構造に関する情報、および実行可能なアプリケーションのうちの、少なくとも１つとされる。かかるデータは、典型的には多くのアプリケーションにおいて起動直後に必要とされるので、この形態は有利である。
【００２１】
さらに、上記の記録されたデータのメニュー構造に関する情報は、第１の記録層Ｌ０（図１参照）上に記憶されたムービーのメニュー構造を含むものとされる。ストリーミングデータ（ビデオおよびオーディオ）は、より低速（たとえば１ｘ速）で再生可能であるため、層Ｌ１、Ｌ２、Ｌ３（図１参照）上に記憶される。
【００２２】
さらには、上記の方法は、実行可能なアプリケーションに関するデータを第１の記録層Ｌ０（図１参照）に記録する工程と、その実行可能なアプリケーションに付随する残りのデータを、第１の記録層Ｌ０より上側にある複数の記録層Ｌ１、Ｌ２、Ｌ３（図１参照）のうちの少なくとも１つに記録する工程とを含むものとされる。実行可能なアプリケーションは、光記録担体１０から読み出される頻度が最も高いので、第１の記録層Ｌ０上に記録するのが有利である。実行可能なアプリケーションに付随する、データベースタイプのデータといったような、光記録担体１０からの読出頻度がより低い残りのデータ（実行可能なアプリケーションにより必要とされる時にのみ読み出される）は、記録層Ｌ１、Ｌ２およびＬ３に記録することができる。この実行可能なアプリケーションは、ｊａｖａ（登録商標）アプリケーションであってもよい。ｊａｖａアプリケーションは、たとえばＢＤドライブによって起動直後に実行され得るので、この形態は有利である。
【００２３】
さらに別の実施形態では、光記録担体は、ＤＶＤ、ブルーレイディスクおよびＨＤ−ＤＶＤといった、記録可能型／書換可能型の光記録担体とされる。ＤＶＤ、ブルーレイディスクおよびＨＤ−ＤＶＤの記憶容量は増大しており、四層／六層のブルーレイディスクが市場に登場することが予想されている。そのため、起動に関するデータに素早くアクセスすることができ、かかるディスクの起動動作性能を改善することができる方法を有することは、有利である。
【００２４】
図５を参照すると、光記録担体１０（図１参照）は、スピンドルモータ５２により、角速度一定（ＣＡＶ）または線速度一定（ＣＬＶ）で制御される。光ピックアップユニット５４は、レーザーダイオードから発せられた（ある記録パワー値の）レーザー光を用いて、光記録担体１０上にデータを記録する。データが記録される際には、エンコーダユニット５８にデータが供給され、そのエンコーダユニット５８により符号化されたデータは、レーザーダイオード駆動ユニット５６に供給される。レーザーダイオード駆動ユニット５６は、符号化されたデータに基づいて駆動信号を生成し、光ピックアップユニット５４のレーザーダイオードにその駆動信号を供給する。加えて、制御ユニット５９からの制御信号が、レーザーダイオード駆動ユニット５６に供給され、その制御信号により、記録ストラテジおよび記録パワーが決定される。しかしながら、光記録担体１０からデータが読み出される際には、光ピックアップユニット５４のレーザーダイオードは、ある読出パワー（読出パワー＜記録パワー）のレーザー光を発し、反射された光が受光される。受光された反射光は電気信号に変換され、読出ＲＦ信号が得られる。この読出ＲＦ信号は、ＲＦ信号処理ユニット５０に供給される。
【００２５】
ＲＦ信号処理ユニット５０は、イコライザ−と、二値化ユニットと、位相ロックループ（ＰＬＬ）ユニットとを含み、読出ＲＦ信号を二値化し、同期クロックを生成し、それらの信号をデコーダユニット５７に供給する。デコーダユニット５７は、これらの供給された信号に基づいてデータを復号し、復号されたデータを読出データとして出力する。ドライブ５００はまた、トラッキング誤差信号または焦点誤差信号のそれぞれと、光記録担体１０上に形成されたウォブル信号（たとえば、アドレスの復調または回転数の制御のために用いられる）とを発生させることにより、焦点サーボまたはトラッキングサーボを制御するための（データ読出用の）回路を含んでいる。サーボ制御機構は、従来のドライブシステムにおける機構と同一であるので、ここでは詳細に説明しない。
【００２６】
図５に示した構造は、ドライブ５００の一般的な動作に関連する部分のみを図解したものである。光ピックアップユニットを制御するためのサーボ回路、スピンドルモータ、スライドモータ、および制御回路は、従来のシステムと同様の方法で構築されているので、それらに関する記載および詳細説明は、ここでは省略する。
【００２７】
制御ユニット５９は、光記録担体上に配された複数の記録層のうちの少なくとも１つの記録層に、起動手順に関するデータを記録するように構成されており、その記録されるデータは、その後の起動動作中に読み出されるデータであり、上記の少なくとも１つの記録層の選択は、その少なくとも１つの記録層の特性に基づいて行われる。
【００２８】
１つの実施形態では、上記の制御ユニットは、起動手順に関するデータの記録に際して、
− 記録されたデータの反復読出性能、および
− 読出速度
のうちの少なくとも一方から、上記の少なくとも１つの記録層の特性を選択するように構成される。
【００２９】
さらなる実施形態では、制御ユニット５９（図５参照）は、基板の第１の表面の上に配された第１の記録層Ｌ０（図１参照）上にデータを記録するように構成され、この第１の記録層Ｌ０は、十分に厚い金属層に隣接して存在するものとされる。
【００３０】
ドライブ５００は、ＤＶＤドライブ、ブルーレイディスクドライブおよびＨＤ−ＤＶＤドライブといったような、光ドライブであってもよい。さらに、このドライブ５００を有する記録装置または再生装置（たとえばＤＶＤレコーダおよび／またはプレーヤー、ブルーレイディスクレコーダおよび／またはプレーヤー）は、ドライブ５００が光記録担体１０をドライブ５００内にロードするのに要する時間（すなわち記録／読出しの準備が完了した状態とするのに要する時間）を、短縮することができる。
【００３１】
以上、多層ブルーレイディスクを用いた実施形態によって、本発明の対象を説明してきたが、本発明の対象は、あらゆるタイプの光記録担体（ＨＤ−ＤＶＤ、ＤＶＤおよびＣＤ）に適用可能なものである。本発明の対象は、片面二層ディスク（すなわちデュアルレイヤーディスク）や、両面二層ディスク（すなわちデュアルレイヤー両面ディスク）に限定されるものではない。当業者であれば、ソフトウェアによっても、ハードウェアおよびソフトウェアの両方によっても、上記で説明した方法の実施形態を実施することができる。特許請求の範囲で規定する本発明の対象を実施する技術分野の当業者においては、本願の図面、明細書および特許請求の範囲を考慮することにより、上記で開示した実施形態に対する他のバリエーションも、理解し、実現することができる。「含む」または「備える」との動詞の使用は、請求項または明細書の記載中で列挙されたもの以外の要素の存在を排除するものではない。ある要素に先行する「１つの」との不定冠詞の使用は、かかる要素が複数存在することを排除するものではない。図面および明細書の記載は、単なる説明目的と捉えられるべきであり、本発明の対象を限定するものではない。
【図１】
2010522405.tif 000005
【図２】
2010522405.tif 000006
【図３】
2010522405.tif 000007
【図４】
2010522405.tif 000008
【図５】
2010522405.tif 000009
【国際調査報告】
2010522405.tif 000010
2010522405.tif 000011